(57)【特許請求の範囲】
【請求項１】
光源と、
前記光源からの光を変調させて画像光を形成する複数の光変調装置と、
複数の前記画像光を合成する光合成装置と、
前記光合成装置を固定する固定部と、を備え、
前記光合成装置は、前記固定部に固定される被固定面を有し、
前記固定部は、前記光合成装置を固定する固定面を有し、
前記固定面は、前記被固定面の中心と点接触する頂点を有し、
前記被固定面における前記頂点との接触点は、前記固定部と前記光合成装置との相対的な姿勢を変化させた場合に、前記頂点から移動しない、プロジェクター。
【請求項２】
前記固定面と前記被固定面との間には、接着剤が充填されている、請求項１に記載のプロジェクター。
【請求項３】
前記固定面が、円錐面である、
請求項１又は２に記載のプロジェクター。
【請求項４】
前記光合成装置は、光が入射する３つの入射面と、合成された光を出射する１つの射出面と、前記入射面および前記射出面と直交する２つの直交面と、を有するクロスダイクロイックプリズムであり、
前記被固定面は、２つの直交面のうち何れか一方である、請求項１〜３の何れか一項に記載のプロジェクター。
【発明の詳細な説明】
【技術分野】
【０００１】
本発明は、プロジェクターに関するものである。
【背景技術】
【０００２】
特許文献１には、プロジェクターにおいて各色の光学像を合成する合成プリズム（光合成装置）を取り付け部材に接着固定することが記載されている。
【先行技術文献】
【特許文献】
【０００３】
【特許文献１】特開２００８−４０２８１号公報
【発明の概要】
【発明が解決しようとする課題】
【０００４】
光合成装置は、個体ごとの寸法のバラつきを有するため、基準面に押し当てて固定するなどの従来の位置決め方法を採用した場合には、合成された各色の画像のズレを十分に抑制できないという問題があった。また、光合成装置を高精度で固定した場合であっても、使用環境に起因する光合成装置の熱膨張により画像ずれ（投影画面の位置移動やフォーカスのずれ）が発生してしまうという問題があった。
【０００５】
本発明は、このような事情に鑑みてなされたものであって、プロジェクターごとの光合成装置の姿勢を調整可能でありかつ熱膨張による画像ずれが生じにくい、プロジェクターの提供を目的とする。
【課題を解決するための手段】
【０００６】
上記の課題を解決するために、光源と、前記光源からの光を変調させて画像光を形成する複数の光変調装置と、複数の前記画像光を合成する光合成装置と、前記光合成装置を固定する固定部と、を備え、前記光合成装置は、前記固定部に固定される被固定面を有し、前記固定部は、前記光合成装置を固定する固定面を有し、前記固定面は、前記被固定面に対して突出し前記被固定面と点接触し、前記被固定面と前記固定面との接触点は、前記固定部と前記光合成装置との相対的な姿勢を変化させた場合に移動しない、という構成を採用する。
この構成によれば、固定部の固定面が、被固定面に対し点接触するため、接触点を基準点として、光合成装置を固定部に対して傾けることが可能となる。したがって、光合成装置の姿勢を連続的に変化させながら、各色の画像ずれが最も少ない位置に光合成装置を位置決めできる。
加えて、上記の構成によれば、光合成装置の姿勢の調整を行う際に固定面と被固定面との接触点の位置が変わらない。光合成装置は、接触点を起点として熱膨張する。したがって、例えば被固定面の中心で、固定面の頂点を接触させることで、光合成装置の膨張量の分布傾向にプロジェクターごとの差が生じることを抑制できる。これにより、光合成装置の熱膨張に起因する投影画面の位置移動やフォーカスのずれ等の画像のズレを抑制することができる。
【０００７】
また、上述のプロジェクターにおいて、前記固定面と前記被固定面との間には、接着剤が充填されている、構成としてもよい。
この構成によれば、接着剤により、固定面と被固定面とを強固に固定することができる。また、接着剤を用いることで、固定部に対する光合成装置の姿勢の調整を接着剤が未硬化の状態で行い、調整完了後に硬化させて固定することが可能となる。なお、接着剤の変形量は、接着層の厚さに依存する。このため、固定面と被固定面との接着においては、固定面の頂点近傍で最も互いの位置関係を強固に保持する。したがって、接着剤を用いた場合であっても、光合成装置の熱膨張の起点が接触点となるという性質は、変わらない。
【０００８】
また、上述のプロジェクターにおいて、前記固定面は、前記被固定面と点接触する頂点を有し、前記被固定面における前記頂点との接触点は、前記固定部と前記光合成装置との相対的な姿勢を変化させた場合に、前記頂点から移動しない、構成としてもよい。
この構成によれば、固定面が頂点を有する。このため、被固定面に対し１つの点で点接触する固定面を実現して、固定部に対する光合成装置の姿勢を容易に変化させることができる。
【０００９】
また、上述のプロジェクターにおいて、前記固定面が、円錐面である、構成としてもよい。
この構成によれば、固定面および被固定面を接触させた状態で相対的な姿勢を変化させた場合に常に円錐面の頂点で接触する構成を容易に実現できる。
【００１０】
また、上述のプロジェクターにおいて、前記光合成装置は、光が入射する３つの入射面と、合成された光を出射する１つの射出面と、前記入射面および前記射出面と直交する２つの直交面と、を有するクロスダイクロイックプリズムであり、前記被固定面は、２つの直交面のうち何れか一方である、という構成としてもよい。
この構成によれば、３色の画像を合成する光合成装置において、熱膨張による投影画面の位置移動やフォーカスのずれ等の画像ずれの影響を小さくすることができる。
【００１１】
また、上述のプロジェクターにおいて、前記固定面は、前記被固定面の中心に点接触する、構成としてもよい。
この構成によれば、光合成装置が被固定面の中心から膨張するため、各方向への膨張量を略均一させることができ、投影画面の位置移動やフォーカスのずれ等画像のズレをより効果的に抑制することができる。
【図面の簡単な説明】
【００１２】
【図１】実施形態のプロジェクターを示す模式図。
【図２】実施形態の光合成装置および光合成装置を固定する固定部（固定ベース）の側面図。
【図３】図２中の領域IIIの拡大図。
【図４】実施形態の固定部の固定面および光合成装置の分解状態を模式的に示す斜視図。
【図５】実施形態の固定部および光合成装置の模式的な側面図であり、光合成装置の姿勢調整前の様子を示す。
【図６】実施形態の固定部および光合成装置の模式的な側面図であり、光合成装置の姿勢調整後の様子を示す。
【図７】比較例の固定部および光合成装置の模式的な側面図であり、光合成装置の姿勢調整前の様子を示す。
【図８】比較例の固定部および光合成装置の模式的な側面図であり、光合成装置の姿勢調整後の様子を示す。
【発明を実施するための形態】
【００１３】
以下、図面を参照しながら、本発明の実施形態に係るプロジェクターについて説明する。
なお、本発明の範囲は、以下の実施の形態に限定されるものではなく、本発明の技術的思想の範囲内で任意に変更可能である。また、以下の図面においては、各構成をわかりやすくするために、実際の構造と各構造における縮尺や数等を異ならせる場合がある。
【００１４】
また、図面には、必要に応じて適宜３次元直交座標系としてＸＹＺ座標系を示す。本実施形態において、Ｚ軸方向が上下方向であり、Ｘ軸方向がプロジェクターの幅方向であり、Ｙ軸方向がプロジェクターの奥行方向であり、プロジェクターは＋Ｙ方向に画像を投影する。また、本明細書において、＋Ｚ方向を第１の方向と呼ぶ場合があり、−Ｚ方向を第２の方向と呼ぶ場合がある。
【００１５】
図１は、本実施形態のプロジェクター１を示す模式図である。
プロジェクター１は、図１に示すように、光源２と、凹レンズ２０と、インテグレーター光学系３０と、偏光変換素子４０と、重畳光学系５０と、色分離光学系３と、光変調装置４Ｒと、光変調装置４Ｇと、光変調装置４Ｂと、光合成装置６０と、投射光学系６と、筐体７０と、を概略備えている。
【００１６】
筐体７０は、内部に、光源２と、凹レンズ２０と、インテグレーター光学系３０と、偏光変換素子４０と、重畳光学系５０と、色分離光学系３と、光変調装置４Ｒと、光変調装置４Ｇと、光変調装置４Ｂと、光合成装置６０と、投射光学系６と、を内部に収容し支持する。筐体７０は、一側面から投射光学系６をスクリーンＳＣＲに向けて露出させる。
【００１７】
光源２は、照明光ＷＬを凹レンズ２０に向けて射出する。光源２の構成は、特に限定されず、本実施形態において光源２は、例えば、超高圧水銀ランプ、メタルハライドランプ、キセノンランプ等のランプと、ランプの光を反射するリフレクターと、を備えている。
光源２から射出された照明光ＷＬは、凹レンズ２０を介して、インテグレーター光学系３０に入射する。
【００１８】
インテグレーター光学系３０は、重畳光学系５０と協同して被照明領域における照度分布を均一化するためのものである。インテグレーター光学系３０は、第１レンズアレイ３１と、第２レンズアレイ３２と、を備える。第１レンズアレイ３１と第２レンズアレイ３２とによって、光源２からの照明光ＷＬは、偏光変換素子４０に導光される。
【００１９】
第１レンズアレイ３１は、複数のレンズ３３からなるレンズ列を奇数列備える。本実施形態においては、幅方向（Ｘ軸方向）のレンズ列の数は奇数である。図１においては、幅方向に５つのレンズ列が配列されている。各レンズ３３の幅および厚みは、一様である。
【００２０】
第２レンズアレイ３２は、複数のレンズ３４からなるレンズ列を奇数列備える。第１レンズアレイ３１が備える複数のレンズ列の数に対応して、第２レンズアレイ３２においても、幅方向に５つのレンズ列が配列されている。本実施形態においてレンズ３４の幅は、第１レンズアレイ３１から射出された光を偏光変換素子４０の対応する光入射領域に入射させるように調整されている。
【００２１】
本実施形態においては、第２レンズアレイ３２の中央の３つのレンズ列のレンズ３４からの光が中央光入射領域４０ａに入射され、第２レンズアレイ３２の一方の端のレンズ列のレンズ３４からの光が光入射領域４０ｄに入射し、他方の端のレンズ列のレンズ３４からの光が光入射領域４０ｅに入射されるように、第２レンズアレイ３２の各レンズ３４は設計される。例えば、図１に示す例では、レンズ３４は、中央から外側に向かうにしたがって幅が大きくなる。
【００２２】
インテグレーター光学系３０を通過した照明光ＷＬは、中央光入射領域４０ａ、光入射領域４０ｄ、および光入射領域４０ｅから偏光変換素子４０に入射する。偏光変換素子４０は、照明光ＷＬの偏光方向を揃えるものである。
【００２３】
偏光変換素子４０を通過することにより偏光方向が揃えられた照明光ＷＬは、複数の光束からなる。複数の光束は重畳光学系５０に入射する。
【００２４】
重畳光学系５０は、偏光変換素子４０から射出された複数の光束を被照明領域において互いに重畳させるものである。重畳光学系５０は、例えば、凸レンズから構成されている。インテグレーター光学系３０と重畳光学系５０とによって、被照明領域における照度分布が均一化される。重畳光学系５０から射出された照明光ＷＬは、色分離光学系３に入射する。
【００２５】
色分離光学系３は、白色の照明光ＷＬを赤色光ＬＲと緑色光ＬＧと青色光ＬＢとに分離するためのものである。色分離光学系３は、第１のダイクロイックミラー７ａおよび第２のダイクロイックミラー７ｂと、第１の反射ミラー８ａ、第２の反射ミラー８ｂおよび第３の反射ミラー８ｃと、第１のリレーレンズ９ａおよび第２のリレーレンズ９ｂと、を概略備えている。
【００２６】
第１のダイクロイックミラー７ａは、光源２からの照明光ＷＬを赤色光ＬＲと、その他の光（緑色光ＬＧおよび青色光ＬＢ）とに分離する機能を有する。第１のダイクロイックミラー７ａは、分離された赤色光ＬＲを透過するとともに、その他の光（緑色光ＬＧおよび青色光ＬＢ）を反射する。一方、第２のダイクロイックミラー７ｂは、その他の光を緑色光ＬＧと青色光ＬＢとに分離する機能を有する。第２のダイクロイックミラー７ｂは、分離された緑色光ＬＧを反射するとともに、青色光ＬＢを透過する。
【００２７】
第１の反射ミラー８ａは、赤色光ＬＲの光路中に配置されて、第１のダイクロイックミラー７ａを透過した赤色光ＬＲを光変調装置４Ｒに向けて反射する。一方、第２の反射ミラー８ｂおよび第３の反射ミラー８ｃは、青色光ＬＢの光路中に配置されて、第２のダイクロイックミラー７ｂを透過した青色光ＬＢを光変調装置４Ｂに導く。
なお、緑色光ＬＧは、第２のダイクロイックミラー７ｂにより光変調装置４Ｇに向けて反射される。
【００２８】
第１のリレーレンズ９ａおよび第２のリレーレンズ９ｂは、青色光ＬＢの光路中における第２のダイクロイックミラー７ｂの光射出側に配置されている。第１のリレーレンズ９ａおよび第２のリレーレンズ９ｂは、青色光ＬＢの光路長が赤色光ＬＲや緑色光ＬＧの光路長よりも長くなることに起因した青色光ＬＢの光損失を補償する機能を有している。
【００２９】
光変調装置４Ｒは、赤色光ＬＲを通過させる間に、赤色光ＬＲを画像情報に応じて変調し、赤色光ＬＲに対応した画像光を形成する。光変調装置４Ｇは、緑色光ＬＧを通過させる間に、緑色光ＬＧを画像情報に応じて変調し、緑色光ＬＧに対応した画像光を形成する。光変調装置４Ｂは、青色光ＬＢを通過させる間に、青色光ＬＢを画像情報に応じて変調し、青色光ＬＢに対応した画像光を形成する。
【００３０】
本実施形態において、光変調装置４Ｒ、光変調装置４Ｇおよび光変調装置４Ｂは、透過型の液晶パネルである。光変調装置４Ｒ、光変調装置４Ｇおよび光変調装置４Ｂの光入射側には、それぞれ入射側偏光板４１が配置され、光射出側には、射出側偏光板４２が配置されている。
【００３１】
光変調装置４Ｒ、光変調装置４Ｇ、光変調装置４Ｂの入射側には、それぞれフィールドレンズ１０Ｒ、フィールドレンズ１０Ｇ、フィールドレンズ１０Ｂが配置されている。フィールドレンズ１０Ｒ、フィールドレンズ１０Ｇ、フィールドレンズ１０Ｂは、光変調装置４Ｒ、光変調装置４Ｇ、光変調装置４Ｂそれぞれに入射する赤色光ＬＲ、緑色光ＬＧ、青色光ＬＢを平行化するためのものである。
【００３２】
光合成装置６０は、光変調装置４Ｒ、光変調装置４Ｇ、光変調装置４Ｂそれぞれから入射した赤色光ＬＲ、緑色光ＬＧ、青色光ＬＢに対応した画像光を合成し、合成された画像光を投射光学系６に向けて射出する。
【００３３】
投射光学系６は、投射レンズ群から構成されている。投射光学系６は、光合成装置６０により合成された画像光をスクリーンＳＣＲに向けて拡大投射する。これにより、スクリーンＳＣＲ上には、拡大されたカラー映像が表示される。
【００３４】
次に、光合成装置６０およびその固定方法について説明する。
本実施得形態の光合成装置６０は、直方体のクロスダイクロイックプリズム５２である。光合成装置６０は、３つの入射面６１Ｒ、６１Ｇ、６１Ｂと、１つの射出面６１Ｃと、入射面６１Ｒ、６１Ｇ、６１Ｂおよび射出面６１Ｃと直交する２つの直交面と、を有する。
【００３５】
入射面６１Ｒは、光変調装置４Ｒに対向し赤色光ＬＲが入射する面である。入射面６１Ｇは、光変調装置４Ｇに対向し緑色光ＬＧが入射する面である。入射面６１Ｂは、光変調装置４０Ｂに対向し青色光ＬＢが入射する面である。射出面６１Ｃは、投射光学系６に対向し合成された画像光を射出する。入射面６１Ｒと入射面６１Ｂが、互いに反対側を向く面であり、入射面６１Ｇと射出面６１Ｃが、互いに反対側を向く面である。
【００３６】
光合成装置６０の内部には、第１の反射膜（波長選択性反射膜）６５Ｒと第２の反射膜（波長選択性反射膜）６５Ｂとが形成されている（図４参照）。第１の反射膜６５Ｒと第２の反射膜６５Ｂとは、互いに直交する面にそれぞれ形成された薄膜である。第１の反射膜６５Ｒは、入射面６１Ｂと射出面６１Ｃとの間の稜部と入射面６１Ｒと入射面６１Ｇとの間の稜部とを繋ぐように設けられている。また、第２の反射膜６５Ｂは、入射面６１Ｒと射出面６１Ｃとの間の稜部と入射面６１Ｂと入射面６１Ｇとの間の稜部とを繋ぐように設けられている。
【００３７】
第１の反射膜６５Ｒは、赤色光ＬＲのみを反射し、他の波長の光を透過する。第１の反射膜６５Ｒは、入射面６１Ｒから入射した赤色光ＬＲを射出面６１Ｃ側に反射する。第２の反射膜６５Ｂは、青色光ＬＢのみを反射し、他の波長の光を透過する。第２の反射膜６５Ｂは、入射面６１Ｂから入射した青色光ＬＢを射出面６１Ｃ側に反射する。第１の反射膜６５Ｒおよび第２の反射膜６５Ｂは、入射面６１Ｇから入射した緑色光ＬＧを透過する。これにより光合成装置６０は、入射面６１Ｒ、６１Ｇ、６１Ｂから入射した赤色光ＬＲ、青色光ＬＢおよび緑色光ＬＧを合成して射出面６１Ｃから射出する。
【００３８】
図２は、光合成装置６０および光合成装置６０を固定する固定ベース（固定部）７２を、光合成装置６０の射出面６１Ｃ側から見た側面図である。図３は、図２中の領域IIIの拡大図である。
【００３９】
固定ベース（固定部）７２は、光合成装置６０を支持し固定する。固定ベース７２は、筐体７０に固定されている。
【００４０】
図１に示すように、光合成装置６０の入射面６１Ｒ側には、入射面６１Ｒに対向するように射出側偏光板４２と光変調装置４Ｒが図示しない支持部材を介して固定される。同様に、光合成装置６０の入射面６１Ｂには、入射面６１Ｂに対向するように射出側偏光板４２と光変調装置４Ｂが図示しない支持部材を介して固定され、入射面６１Ｂには、入射面６１Ｇに対向するように射出側偏光板４２と光変調装置４Ｇが図示しない支持部材を介して固定されている。
【００４１】
固定ベース７２は、光合成装置６０の一対の直交面６２のうち下側を向く被固定面６３を下側から支持し固定する固定面７３を有する。固定面７３は、円錐面形状を有し、被固定面６３に対して突出する頂点Ｐを有する。固定面７３は、頂点Ｐにおいて被固定面６３と点接触し、光合成装置６０を支持する。また、固定面７３と被固定面６３との間には、接着剤７４が充填されている。これにより、固定ベース７２と光合成装置６０とが互いに固定されている。
【００４２】
図４は、固定ベース７２の固定面７３および光合成装置６０の分解状態を模式的に示す斜視図である。
図４に示すように固定面７３は、円錐面である。ここで円錐面とは、円錐の表面のうち底面を除いた面である。本実施形態において、固定面７３を構成する円錐面は、底面の円の直径φが例えば２０ｍｍ〜３０ｍｍであり、高さＨが０．１ｍｍ〜０．２ｍｍである。
【００４３】
固定面７３の頂点Ｐは、被固定面６３の中心Ｃ６３において被固定面６３と接触する。ここで被固定面６３が矩形状である場合、被固定面６３の中心Ｃ６３は、各辺の中線の交点である。また、被固定面が矩形状でない場合は、例えば被固定面の幾何学的な重心を被固定面の中心とすることができる。
【００４４】
（製造工程）
図５および図６は、固定ベース７２の固定面７３および光合成装置６０を模式的に示す側面図である。図５および図６を基に、固定ベース７２に対する光合成装置６０の組み付け工程および姿勢調整について説明する。
【００４５】
まず、固定ベース７２の固定面７３に紫外線硬化性の接着剤７４を塗布する。
次いで、図５に示すように、接着剤７４が塗布された固定面７３に光合成装置６０を載置する。このとき、光合成装置６０の被固定面６３は、中心Ｃ６３（図４参照）において、固定面７３の頂点Ｐと点接触する。この状態の光合成装置６０は、固定ベース７２に対して、Ｘ軸方向を中心とする回転方向（以下、Ｘθ方向）、Ｙ軸方向を中心とする回転方向（以下、Ｙθ方向）、およびＺ軸方向を中心とする回転方向（以下、Ｚθ方向）、に回転可能である。
【００４６】
次いで、図６に示すように、光合成装置６０の固定ベース７２に対する姿勢調整を行う（姿勢調整工程）。光合成装置６０の姿勢調整は、光合成装置６０の入射面６１Ｒ、６１Ｇ、６１Ｂに光源２（又は試験用光源）からの光を入射させ射出面６１Ｃから投射される合成画像をカメラにより観測しながら行う。光合成装置６０が適正な角度に対して傾いている場合には、合成画像にずれが生じる。作業者（又は調整装置）は、観測された画像のズレを最小とするように、光合成装置６０をＸθ方向、Ｙθ方向、Ｚθ方向に回転させる。
光合成装置６０の姿勢調整が完了した後に、紫外線を照射して接着剤７４を硬化させ、固定面７３と被固定面６３とを互いに固定する。
【００４７】
以上の手順を経ることで、固定ベース７２に対し光合成装置６０を組み付けることができる。なお、ここで紹介した組み付け工程および姿勢調整は、あくまで一例であり、適宜順序を入れ替えることができる。
【００４８】
（作用効果）
図５および図６に示すように、光合成装置６０は、被固定面６３の中心Ｃ６３を固定面７３の頂点Ｐに点接触させる。また、光合成装置６０の姿勢調整は、頂点Ｐを中心として光合成装置６０をＸθ方向およびＹθ方向に傾ける（又はＺθ方向に回転させる）ことで行われる。本実施形態によれば、固定面７３が円錐面であるため、固定ベース７２に対する光合成装置６０の姿勢を変化させても、接触点ＣＰが頂点Ｐから移動しない。
【００４９】
光合成装置６０は、使用環境や使用時間に依存して昇温して熱膨張する。また、光合成装置６０は、姿勢調整が完了した状態で、接着剤７４を用いて固定ベース７２に固定される。被固定面６３と固定面７３との間に充填された接着剤７４の剛性は、層厚さに依存する。このため、接着剤７４は、層厚さが最も薄い接触点ＣＰにおいて最も強固に被固定面６３と固定面７３とを固定し、接触点ＣＰから離れるに従い徐々に変形しやすくなる。したがって、光合成装置６０は、固定面７３との接触点ＣＰを起点として熱膨張する。本実施形態によれば、光合成装置６０の姿勢調整を行う際に固定面７３と被固定面６３との接触点ＣＰの位置が変わらない。このため、光合成装置６０の姿勢に関わらず、光合成装置６０の各方向への膨張量Ｅ１、Ｅ２の分布傾向に、プロジェクター１ごとの個体差が生じることを抑制できる（図６参照）。特に、被固定面６３の中心Ｃ６３で頂点Ｐと接触させる場合には、光合成装置６０の膨張の起点を中心Ｃ６３とすることができ、各方向の膨張量Ｅ１、Ｅ２を略均一とすることができる。このため、光合成装置６０の熱膨張に起因する投影画面の位置移動やフォーカスのずれ等の画像のズレを抑制し易い。
【００５０】
なお、上述した効果は、固定面７３および被固定面６３は、互いに接触した状態で相対的な姿勢を変化させても接触点ＣＰが頂点Ｐから移動しない構成であれば奏することができる効果である。より具体的には、固定面７３は、上側（被固定面６３側、＋Ｚ方向側、第１の方向側）に対して突出する頂点Ｐを有し、頂点Ｐから下側（−Ｚ方向側、第２の方向側）に向かって均一な傾き、若しくは頂点Ｐから下側に向かうに従い緩やかな傾きとなる傾斜面を有する。均一な傾きの傾斜面を有する固定面の例としては、本実施形態の円錐面の他に角錐面であってもよい。また、下側に向かうに従い緩やかになる傾きの傾斜面となる例としては、図６に仮想線（二点鎖線）で示す固定面１７３が例示できる。
【００５１】
図７および図８は、本実施形態の効果を確認するための比較例の固定ベース（固定部）１０７２および光合成装置６０を模式的に示す側面図である。
比較例の固定ベース１０７２は、球面形状の固定面１０７３を有する。このため、光合成装置６０の姿勢調整時に、光合成装置６０を固定ベース１０７２に対して傾けると接触点ＣＰが頂点Ｐから移動してしまう。すなわち、姿勢調整を行うと、個体ごとに接触点ＣＰの位置が異なってしまう。光合成装置６０の熱膨張は、接触点ＣＰを起点とするため、接触点が個体ごとに異なると、光合成装置６０の各方位の膨張量Ｅ１、Ｅ２の分布傾向に個体差が生じる。上述した実施形態の固定ベース７２は、このような比較例の課題を解決することができる。
【００５２】
以上に、本発明の実施形態を説明したが、各実施形態における各構成およびそれらの組み合わせ等は一例であり、本発明の趣旨から逸脱しない範囲内で、構成の付加、省略、置換およびその他の変更が可能である。また、本発明は実施形態によって限定されることはない。
【００５３】
例えば、上述の実施形態において、光合成装置６０の下側の面が被固定面６３であり、固定ベース７２の固定面７３が下側から被固定面６３を支持する場合について説明した。しかしながら、固定ベースが光合成装置６０の上側に位置し光合成装置６０の上側の面に接着固定された構造を採用してもよい。
【００５４】
また、上述の実施形態においては、光合成装置６０の被固定面６３が平面である場合について説明したが、被固定面は、平面でなくてもよい。
【００５５】
また、上述の実施形態においては、光源２として各種のランプを用いる場合の例を示したが、固体光源（例えば半導体レーザー）と固体光源から射出された光が入射する波長変換素子（蛍光体）とを有する照明装置を光源として採用してもよい。
【符号の説明】
【００５６】
１…プロジェクター、２…光源、４Ｂ，４Ｇ，４Ｒ，４０Ｂ…光変調装置、５２…クロスダイクロイックプリズム、６０…光合成装置、６１…入出射面、６２…直交面、６３…被固定面、７２…固定ベース（固定部）、７３，１７３…固定面、７４…接着剤、ＣＰ…接触点、Ｐ…頂点
【図１】
0006720556.tif 000002
【図２】
0006720556.tif 000003
【図３】
0006720556.tif 000004
【図４】
0006720556.tif 000005
【図５】
0006720556.tif 000006
【図６】
0006720556.tif 000007
【図７】
0006720556.tif 000008
【図８】
0006720556.tif 000009